(57)【要約】      （修正有）【課題】簡便な操作でコンテンツの分類を行う。【解決手段】操作部が操作され、コンテンツ分類プログラムが実行されると、モニタの画面には、ウインドウが立ち上げられ、画像３８がサムネイル表示されたワークスペース３６が表示される。横線３９や縦線４０がドラッグアンドドロップされた場合、仕切り４４が配置され、ワークスペース３６が複数の領域に分割される。画像３８がドラッグアンドドロップされた場合、画像３８は移動される。【選択図】図１０
2010244454.tif 000002
【特許請求の範囲】
【請求項１】
複数のコンテンツを画面にサムネイル表示する表示制御部と、
前記画面を複数の領域に分割する分割操作、及び各領域間でコンテンツを移動させる移動操作を行う操作部とを備え、
前記領域毎にコンテンツを分類することを特徴とするコンテンツ分類装置。
【請求項２】
各領域の範囲を示すデータ、及び各コンテンツの表示位置を示すデータを記憶するワークテーブルを備え、
前記操作部は、前記ワークテーブルに各データを記憶して分類作業中の状態を保存する保存操作、及び保存された分類作業中の状態を読み出す読出し操作を行うことを特徴とする請求項１に記載のコンテンツ分類装置。
【請求項３】
前記操作部は、前記領域毎にフォルダを作成するとともに、分類されたコンテンツの仮想ファイルを対応する前記フォルダに格納する格納操作を行うことを特徴とする請求項１又は２に記載のコンテンツ分類装置。
【請求項４】
前記分割操作では、前記画面に表示された所定の線分をドラッグアンドドロップして、前記画面を複数の領域に分割する仕切りを前記画面に配置させることを特徴とする請求項１〜３のいずれかに記載のコンテンツ分類装置。
【請求項５】
前記移動操作では、前記コンテンツをドラッグアンドドロップすることを特徴とする請求項１〜４のいずれかに記載のコンテンツ分類装置。
【請求項６】
前記操作部は、コンテンツの表示サイズを拡縮する拡縮操作を行うことを特徴とする請求項１〜５のいずれかに記載のコンテンツ分類装置。
【請求項７】
複数のコンテンツを画面にサムネイル表示する表示ステップと、
操作部からの信号に応答して、前記画面を複数の領域に分割するとともに各領域間でコンテンツを移動させる操作ステップとを備え、
前記領域毎にコンテンツを分類することを特徴とするコンテンツ分類方法。
【請求項８】
複数のコンテンツを画面にサムネイル表示する表示ステップと、
操作部からの信号に応答して、前記画面を複数の領域に分割するとともに各領域間でコンテンツを移動させる操作ステップとをコンピュータに実行させ、
前記領域毎にコンテンツを分類することを特徴とするコンテンツ分類プログラム。
【発明の詳細な説明】
【技術分野】
【０００１】
本発明は、人手を介してコンテンツを分類するコンテンツ分類方法及び装置、並びにコンテンツ分類プログラムに関する。
【背景技術】
【０００２】
パーソナルコンピュータや携帯電話などの情報端末機器が普及している。情報端末機器では、映像、画像、音楽、ゲームといった様々なコンテンツが取り扱われる。ハードディスクドライブや記憶媒体などの記憶容量は増大しており、情報端末機器によれば、膨大な数のコンテンツを保存することができる。膨大な数のコンテンツから所望のコンテンツを容易に探し出すためには、予め的確に分類されている必要がある。
【０００３】
コンテンツを分類する発明は種々なされている。特許文献１〜３に記載の発明によれば、コンテンツを自動的に分類するので人手を必要とせず、膨大な数のコンテンツを分類することができる。
【先行技術文献】
【特許文献】
【０００４】
【特許文献１】特開２００２−０３２７５１号公報
【特許文献２】特開２００４−０６２０８４号公報
【特許文献３】特開２００８−０９０６９８号公報
【発明の概要】
【発明が解決しようとする課題】
【０００５】
しかし、利用者の好みで分類する場合には、自動的に分類するのではなく、利用者が一つ一つ分類する必要がある。従来の情報端末機器では、複数のフォルダを開く、開いたフォルダを重ならないように並べる、各フォルダ間でコンテンツを移動させるといった操作を行うことで、コンテンツを分類することは可能である。しかし、操作が簡便ではないといった問題があり、簡便な操作でコンテンツの分類を行えることが望まれていた。
【０００６】
本発明は、上記課題を鑑みてなされたものであり、簡便な操作でコンテンツの分類を行うことができるコンテンツ分類方法及び装置、並びにコンテンツ分類プログラムを提供することを目的とする。
【課題を解決するための手段】
【０００７】
上記目的を達成するために、本発明のコンテンツ分類装置は、複数のコンテンツを画面にサムネイル表示する表示制御部と、前記画面を複数の領域に分割する分割操作、及び各領域間でコンテンツを移動させる移動操作を行う操作部とを備え、前記領域毎にコンテンツを分類することを特徴とする。
【０００８】
なお、各領域の範囲を示すデータ、及び各コンテンツの表示位置を示すデータを記憶するワークテーブルを備え、前記操作部は、前記ワークテーブルに各データを記憶して分類作業中の状態を保存する保存操作、及び保存された分類作業中の状態を読み出す読出し操作を行うことが好ましい。
【０００９】
また、前記操作部は、前記領域毎にフォルダを作成するとともに、分類されたコンテンツの仮想ファイルを対応する前記フォルダに格納する格納操作を行うことが好ましい。
【００１０】
また、前記分割操作では、前記画面に表示された所定の線分をドラッグアンドドロップして、前記画面を複数の領域に分割する仕切りを前記画面に配置させ、前記移動操作では、前記コンテンツをドラッグアンドドロップすることが好ましい。
【００１１】
また、前記操作部は、コンテンツの表示サイズを拡縮する拡縮操作を行うことが好ましい。
【００１２】
本発明のコンテンツ分類方法は、複数のコンテンツを画面にサムネイル表示する表示ステップと、操作部からの信号に応答して、前記画面を複数の領域に分割するとともに各領域間でコンテンツを移動させる操作ステップとを備え、前記領域毎にコンテンツを分類することを特徴とする。
【００１３】
本発明のコンテンツ分類プログラムは、複数のコンテンツを画面にサムネイル表示する表示ステップと、操作部からの信号に応答して、前記画面を複数の領域に分割するとともに各領域間でコンテンツを移動させる操作ステップとをコンピュータに実行させ、前記領域毎にコンテンツを分類することを特徴とする。
【発明の効果】
【００１４】
本発明のコンテンツ分類方法及び装置、並びにコンテンツ分類プログラムによれば、コンテンツがサムネイル表示された画面を複数の領域に分割する分割操作、及び各領域間でコンテンツを移動させる移動操作を行うことができる。このような簡便な操作でコンテンツを分類することができる。
【図面の簡単な説明】
【００１５】
【図１】パーソナルコンピュータの構成を示す概略図である。
【図２】パーソナルコンピュータの内部構成を示すブロック図である。
【図３】ＨＤＤに格納されたテーブル及びプログラムを説明するブロック図である。
【図４】画像一覧テーブルの構成を示す図である。
【図５】ワークテーブルの構成を示す図である。
【図６】作業前のワークスペースを示す図である。
【図７】領域を２分割したワークスペースを示す図である。
【図８】領域を４分割したワークスペースを示す図である。
【図９】領域を３分割したワークスペースを示す図である。
【図１０】画像の移動を説明するワークスペースを示す図である。
【図１１】画像分類の処理手順を説明するフローチャートである。
【発明を実施するための形態】
【００１６】
図１に示すコンテンツ分類装置は、パーソナルコンピュータ（以下、ＰＣと略す。）１１にコンテンツ分類プログラム３３（図３参照）をインストールすることによって構成される。コンテンツ分類装置は、モニタ１２の画面１２ａにコンテンツを表示するとともに、マウス１３やキーボード１４から入力される操作信号に応答してコンテンツの分類処理を実行する。利用者は、画面１２ａの表示を見ながらコンテンツを分類することができる。なお、以下では、画像を分類する場合を例に説明するが、映像、音楽、ゲームその他のコンテンツを分類することも可能である。
【００１７】
ＰＣ１１は、各種ウインドウなどを表示する画面１２ａを有したモニタ１２と、操作信号を入力するマウス１３やキーボード１４からなる操作部１５とを備えている。ＰＣ１１には、デジタルカメラ１６で撮影して得られた画像や、メモリカードやＣＤ−Ｒなどの記録媒体１７に記録された画像が送信され、あるいは、インターネット１８を経由して画像がダウンロードされる。
【００１８】
デジタルカメラ１６は、例えば、ＩＥＥＥ１３９４、ＵＳＢ（Universal Serial Bus）などに準拠した通信ケーブルや、無線ＬＡＮなどによりＰＣ１１に接続され、ＰＣ１１とのデータの相互通信が可能となっている。また、記録媒体１７も同様に、専用のドライバを介してＰＣ１１とのデータの遣り取りが可能となっている。
【００１９】
図２に示すように、ＰＣ１１は、ＣＰＵ２１を備え、このＣＰＵ２１は、操作部１５から入力される操作信号などにしたがってＰＣ１１全体を統括的に制御する。ＣＰＵ２１には、操作部１５の他に、データバス２２を介して、ＲＡＭ２３、ハードディスクドライブ（以下、ＨＤＤと略す。）２４、通信インターフェース（以下、通信Ｉ／Ｆと略す。）２５、及び表示制御部２６が接続されている。
【００２０】
ＲＡＭ２３は、ＣＰＵ２１が処理を実行するために用いられる作業用のメモリである。ＨＤＤ２４には、ＰＣ１１を動作させるための各種プログラムやデータが格納されている。ＣＰＵ２１は、ＨＤＤ２４からプログラムを読み出してＲＡＭ２３に展開し、読み出したプログラムを逐次実行する。
【００２１】
通信Ｉ／Ｆ２５は、例えばモデムやルータであり、インターネット１８に適合した通信プロトコルの制御を行い、インターネット１８を経由したデータの遣り取りをする。また、通信Ｉ／Ｆ２５は、デジタルカメラ１６や記録媒体１７などの外部機器とのデータ通信も行う。表示制御部２６は、モニタ１２を制御し、モニタ１２の画面１２ａに各種ウインドウを表示させる。
【００２２】
図３に示すように、ＨＤＤ２４には、複数の画像データとともに、画像一覧テーブル３１、ワークテーブル３２、及びコンテンツ分類プログラム３３が格納されている。
【００２３】
図４に示すように、画像一覧テーブル３１は、画像データの取込み時に自動的に付されたＩＤ（取込み順に付される通し番号）を見出しとして、画像の名称を記憶している。ＨＤＤ２４に格納された画像データは、画像一覧テーブル３１によってＩＤ管理される。
【００２４】
図５に示すように、ワークテーブル３２には、分類作業中の状態が記憶される。具体的には、見出しとなるＩＤ、並びに画面１２ａに表示される位置及びサイズが画像毎に記憶されるとともに、各領域の範囲を示すデータとして、画面１２ａを複数の領域に分割する仕切り４４（図６など参照）の位置が記憶される。なお、画像一覧テーブル３１及びワークテーブル３２は、互いに統合して一つのデータテーブルとしてもよい。
【００２５】
画像の分類を行う際、利用者は、操作部１５を操作してコンテンツ分類プログラム３３を起動する。コンテンツ分類プログラム３３が起動されると、表示制御部２６は、モニタ１２の画面１２ａに、ウインドウ（図示省略）を立ち上げ、ウインドウ内に図６に示すワークスペース３６を表示させる。ワークスペース３６上には、各種操作に用いるポインタ３７が表示される。ポインタ３７は、マウス１３が操作されることでワークスペース３６上を移動する。利用者は、ワークスペース３６上でポインタ３７を操作して、画像３８の分類作業を行う。
【００２６】
ワークスペース３６には、ＨＤＤ２４に格納された画像データに基づいて複数の画像３８がサムネイル表示される。画像３８としてサムネイル表示される画像データは、操作部１５の操作により、適宜選択される。画像３８にポインタ３７が合わせられマウス１３でドラッグアンドドロップされることで、ドラッグアンドドロップされた画像３８は移動される。
【００２７】
また、ワークスペース３６には、ワークスペース３６を複数の領域に分割するための横線３９及び縦線４０、分割作業中のワークスペース３６の状態を保存する保存ボタン４１、保存されているワークスペース３６の状態を読み出す読出しボタン４２、並びに画像３８をフォルダに格納する格納ボタン４３が配されている。
【００２８】
図７に示すように、横線３９にポインタ３７が合わせられマウス１３で縦方向にドラッグアンドドロップされることで、横方向に伸びた仕切り４４が配置される。横方向の仕切り４４は、ワークスペース３６を上下の領域に分割する。つまり、マウス１３によって、ワークスペース３６を複数の領域に分割する分割操作が行われる。
【００２９】
横方向の仕切り４４にポインタ３７が合わせられマウス１３で縦方向にドラッグアンドドロップされることで、ドラッグアンドドロップされた仕切り４４は移動される。横線３９までドラッグアンドドロップされた場合には、ドラッグアンドドロップされた仕切り４４は消滅する。なお、図７に示す場合、ワークスペース３６は、横方向の仕切り４４により、２つの領域に分割されている。これにより、上の領域に表示されている画像３８をプリントの対象とし、下の領域に表示されている画像３８を削除の候補とするなど、様々な目的で画像３８を分類することができる。
【００３０】
図８に示すように、縦線４０にポインタ３７が合わせられマウス１３で横方向にドラッグアンドドロップされることで、縦方向に伸びた仕切り４４が配置される。縦方向の仕切り４４は、ワークスペース３６を左右の領域に分割する。
【００３１】
縦方向の仕切り４４にポインタ３７が合わせられマウス１３で横方向にドラッグアンドドロップされることで、ドラッグアンドドロップされた仕切り４４は移動される。縦線４０までドラッグアンドドロップされた場合には、ドラッグアンドドロップされた仕切り４４は消滅する。なお、図８に示す場合、ワークスペース３６は、横方向の仕切り４４及び縦方向の仕切り４４により、４つの領域に分割されている。これにより、フォトブックを作成する場合には、左上の領域に表示されている画像３８を表紙に用いる対象とし、右上の領域に表示されている画像３８を人物が写っているものとし、左下の領域に表示されている画像３８を風景が写っているものとし、右下の領域に表示されている画像３８を写りが悪いもの（逆光、ピンボケなど）とするなど、様々な目的で画像３８を分類することができる。
【００３２】
横線３９及び縦線４０のドラッグアンドドロップは、複数回行われることが可能である。例えば、図９に示すように、縦線４０について２回ドラッグアンドドロップが行われた場合には、縦方向の仕切り４４が２本配置され、ワークスペース３６が３つの領域に分割される。仕切り４４により分割された各領域には、操作部１５の操作により名称（図示省略）が付される。
【００３３】
図１０に示すように、画像３８がドラッグアンドドロップされることで、仕切り４４で分割された各領域間で画像３８が移動される。つまり、マウス１３によって、各領域間で画像３８を移動させる移動操作が行われる。画像３８は、デフォルトでは整列した状態でサムネイル表示されていたが、任意の箇所に移動されて任意の箇所に表示される。画像３８同士が重なり合うことも可能である。但し、画像３８を仕切り４４の箇所でドロップした場合には、画像３８はスライドして、仕切り４４で分割されたいずれかの領域に表示される。図示は省略するが、画像３８の周縁にポインタ３７が合わせられマウス１３でドラッグされることで、画像３８の表示サイズが拡縮される。つまり、マウス１３によって、画像３８の表示サイズを拡縮する拡縮操作が行われる。
【００３４】
保存ボタン４１にポインタ３７が合わせられマウス１３でクリックされることで、ワークスペース３６に関する各データがワークテーブル３２に記憶され、分類作業中のワークスペース３６の状態が保存される。つまり、マウス１３によって、ワークテーブル３２に各データを記憶して分類作業中の状態を保存する保存操作が行われる。この時、保存された状態と関連付けて、保存された状態を読み出す読出しボタン４２が表示される。読出しボタン４２は、保存されているワークスペース３６の状態を表示しており、読み出すワークスペース３６の状態を視覚的に把握させる。
【００３５】
読出しボタン４２にポインタ３７が合わせられマウス１３でクリックされることで、クリックされた時に分類作業中のワークスペース３６の状態が保存されるとともに、読出しボタン４２に関連付けて保存されていたワークスペース３６の状態が読み出され、ウインドウに表示される。つまり、マウス１３によって、ワークテーブル３２に保存されている分類作業中の状態を読み出す読出し操作が行われる。
【００３６】
読出しボタン４２がクリックされて読み出されたワークスペース３６において保存ボタン１４がクリックされたときには、別途ウインドウ（図示省略）が立ち上がる。このウインドウには、新規保存ボタンと上書き保存ボタンが配されている。
【００３７】
新規保存ボタンにポインタ３７が合わせられマウス１３でクリックされることで、分類作業中のワークスペース３６の状態が保存される。この時、保存された状態と関連付けて、保存された状態を読み出す読出しボタン４２が新たに表示される。
【００３８】
上書き保存ボタンにポインタ３７が合わせられマウス１３でクリックされることで、分類作業中のワークスペース３６の状態が保存される。この時、保存された状態が、先にクリックされた読出しボタン４２に関連付けられる。
【００３９】
格納ボタン４３にポインタ３７が合わせられマウス１３でクリックされることで、ＨＤＤ２４内にフォルダ（図示省略）が作成されるとともに、作成されたフォルダに、ワークスペース３６に表示されていた画像３８の仮想ファイル（いわゆるソフトリンク）が格納される。フォルダには、操作部１５の操作により名称が付される。
【００４０】
ワークスペース３６が仕切り４４によって複数の領域に分割されている場合には、領域毎にフォルダが作成されるとともに、作成されたフォルダに、対応する領域に表示されている画像３８の仮想ファイルが格納される。つまり、マウス１３によって、領域毎にフォルダを作成するとともに、分類された画像３８の仮想ファイルを対応するフォルダに格納する格納操作が行われる。なお、いずれか所定の領域に表示されている画像３８を削除する対象とし、格納ボタン４３がクリックされた時に削除するようにしてもよい。
【００４１】
次に、上記ＰＣ１１がコンテンツ分類装置として機能したときの画像を分類する処理手順について、図１１のフローチャートを参照しながら説明する。操作部１５が操作され、コンテンツ分類プログラム３３が実行されると、ＰＣ１１は、コンテンツ分類装置として機能する。
【００４２】
モニタ１２の画面１２ａには、ウインドウが立ち上げられ、画像３８がサムネイル表示されたワークスペース３６が表示される（ステップ（以下、Ｓと略す。）１１）。各画像３８の画面１２ａに表示されている位置及びサイズは、ＲＡＭ２３に記憶される。
【００４３】
横線３９や縦線４０がドラッグアンドドロップされた場合（Ｓ１２でＹＥＳ）、仕切り４４が配置され、ワークスペース３６が複数の領域に分割される（Ｓ１３）。仕切り４４の画面１２ａに表示されている位置は、ＲＡＭ２３に記憶される。
【００４４】
仕切り４４がドラッグアンドドロップされた場合（Ｓ１４でＹＥＳ）、仕切り４４は移動される（Ｓ１５）。仕切り４４の画面１２ａに表示されている位置は、変更されてＲＡＭ２３に記憶される。
【００４５】
画像３８がドラッグアンドドロップされた場合（Ｓ１６でＹＥＳ）、画像３８は移動される（Ｓ１７）。画像３８の画面１２ａに表示されている位置は、変更されてＲＡＭ２３に記憶される。
【００４６】
画像３８の周縁がドラッグされた場合（Ｓ１８でＹＥＳ）、画像３８のサイズが拡縮される（Ｓ１９）。画像３８の画面１２ａに表示されているサイズは、変更されてＲＡＭ２３に記憶される。
【００４７】
保存ボタン４１がクリックされた場合（Ｓ２０でＹＥＳ）、分類作業中のワークスペース３６の状態が保存される（Ｓ２１）。ワークスペース３６に関する各データは、ＲＡＭ２３から読み出され、ワークテーブル３２に記憶される。
【００４８】
読出しボタン４２がクリックされた場合（Ｓ２２でＹＥＳ）、ワークテーブル３２に記憶されている各データがＲＡＭ２３に読み出される。表示制御部２６は、ＲＡＭ２３に読み出されたデータに基づいて、保存されていた状態のワークスペース３６をモニタ１２の画面１２ａに表示させる（Ｓ２３）。
【００４９】
格納ボタン４３がクリックされた場合（Ｓ２４でＹＥＳ）、領域毎にフォルダが作成されるとともに、作成されたフォルダに、対応する領域に表示されている画像３８が格納される（Ｓ２５）。
【００５０】
以上説明したように、横線３９や縦線４０をドラッグアンドドロップすることで仕切り４４が配置されるから、ワークスペース３６を複数の領域に分割することができる。画像３８をドラッグアンドドロップすることで画像３８が移動されるから、各領域間で画像３８を移動させることができる。つまり、簡便な操作で画像３８を分類することができる。
【００５１】
また、保存ボタン４１をクリックすることでワークスペース３６を分類作業中の状態で保存することができる。保存された分割作業中の状態は、読出しボタン４２をクリックすることで読み出すことができる。これらにより、「人に見せる」や「プリントする」などの目的によって画像３８の仕分け方を変えたい場合でも、改めて分け直す作業をする必要がなく、時間と手間が掛かることはない。
【００５２】
さらに、画像３８の周縁をドラッグすることで画像３８の表示サイズを拡縮することができる。これにより、気になる画像３８を拡大したり、不要な画像３８を縮小したりすることができる。
【００５３】
なお、上記実施形態では、パーソナルコンピュータ１１がコンテンツ分類装置として機能する場合を例に説明したが、フォトストレージ、デジタルカメラ、携帯電話機といったコンテンツを取り扱うその他の電子機器に本発明を適用することも可能である。
【００５４】
また、上記実施形態では、横線３９又は縦線４０をドラッグアンドドロップして仕切り４４を配置する分割操作を説明したが、ワークスペース３６を複数の領域に分割することができればこれに限定されることはない。例えば、フリーハンドで仕切りが描かれる、すなわち、マウス１３でドラッグした箇所に仕切りが描かれるようにしてもよい。
【符号の説明】
【００５５】
１１  パーソナルコンピュータ（ＰＣ）
１２  モニタ
１２ａ  画面
１３  マウス
１４  キーボード
１５  操作部
２１  ＣＰＵ
２６  表示制御部
３２  ワークテーブル
３３  コンテンツ分類プログラム
３６  ワークスペース
３８  画像
３９  横線
４０  縦線
４１  保存ボタン
４２  読出しボタン
４３  格納ボタン
４４  仕切り
【図１】
2010244454.tif 000003
【図２】
2010244454.tif 000004
【図３】
2010244454.tif 000005
【図４】
2010244454.tif 000006
【図５】
2010244454.tif 000007
【図６】
2010244454.tif 000008
【図７】
2010244454.tif 000009
【図８】
2010244454.tif 000010
【図９】
2010244454.tif 000011
【図１０】
2010244454.tif 000012
【図１１】
2010244454.tif 000013